(57)【特許請求の範囲】
【請求項１】
制御装置と、ＣＭバンクと、差替装置とを有し、
前記制御装置は、前記ＣＭバンク及び前記差替装置に、ＣＭ素材識別情報を含むスタンバイ指示、及び、送出指示を送信し、
前記ＣＭバンクは、前記スタンバイ指示を受信すると、前記ＣＭ素材識別情報で特定されるＣＭ素材を送出するスタンバイを行い、前記送出指示を受信すると、スタンバイしている前記ＣＭ素材の映像信号を送出し、
前記差替装置は、
前記スタンバイ指示を受信し、前記スタンバイ指示に含まれる前記ＣＭ素材識別情報で特定されるＣＭ素材の放送の可否を判定する判定手段と、
前記判定手段が放送不可と判定すると、差替ＣＭ素材を送出するスタンバイを行い、前記送出指示を受信すると、スタンバイしている前記差替ＣＭ素材の映像信号を送出する差替送出手段と、
前記判定手段による判定結果に関わらず前記送出指示に応じて前記ＣＭバンクが送出した前記ＣＭ素材の映像信号、及び、前記判定手段による判定結果が放送不可である場合に前記送出指示に応じて前記差替送出手段が送出した前記差替ＣＭ素材の映像信号が入力され、前記差替送出手段からの入力がある時は前記差替送出手段から入力された映像信号を出力し、前記差替送出手段からの入力がない時は前記ＣＭバンクから入力された映像信号を出力するスイッチング手段と、
を有する送出システム。
【請求項２】
請求項１に記載の送出システムにおいて、
前記差替送出手段は、前記判定手段が放送可と判定すると、前記差替ＣＭ素材を送出するスタンバイを行わない送出システム。
【請求項３】
請求項１又は２に記載の送出システムにおいて、
前記判定手段は、前記ＣＭ素材各々の放送が禁止される放送禁止条件に基づき、前記ＣＭ素材の放送の可否を判定する送出システム。
【請求項４】
請求項１から３のいずれか１項に記載の送出システムにおいて、
前記判定手段は、前記ＣＭ素材各々の放送が許可される放送許可条件に基づき、前記ＣＭ素材の放送の可否を判定する送出システム。
【請求項５】
制御装置が送信したスタンバイ指示を受信し、スタンバイ指示に含まれるＣＭ素材識別情報で特定されるＣＭ素材の放送の可否を判定する判定手段と、
前記判定手段が放送不可と判定すると、差替ＣＭ素材を送出するスタンバイを行い、前記制御装置が送信した送出指示を受信すると、スタンバイしている前記差替ＣＭ素材の映像信号を送出する差替送出手段と、
前記判定手段による判定結果に関わらず前記制御装置により送信された前記送出指示に応じてＣＭバンクが送出したＣＭ素材の映像信号、及び、前記判定手段による判定結果が放送不可である場合に前記制御装置により送信された前記送出指示に応じて前記差替送出手段が送出した前記差替ＣＭ素材の映像信号が入力され、前記差替送出手段からの入力がある時は前記差替送出手段から入力された映像信号を出力し、前記差替送出手段からの入力がない時は前記ＣＭバンクから入力された映像信号を出力するスイッチング手段と、
を有する差替装置。
【請求項６】
コンピュータが、
制御装置が送信したスタンバイ指示を受信し、スタンバイ指示に含まれるＣＭ素材識別情報で特定されるＣＭ素材の放送の可否を判定する判定工程と、
前記判定工程で放送不可と判定されると、差替ＣＭ素材を送出するスタンバイを行い、前記制御装置が送信した送出指示を受信すると、スタンバイしている前記差替ＣＭ素材の映像信号を送出する差替送出工程と、
前記判定工程での判定結果に関わらず前記制御装置により送信された前記送出指示に応じてＣＭバンクが送出したＣＭ素材の映像信号、及び、前記判定工程での判定結果が放送不可である場合に前記制御装置により送信された前記送出指示に応じて前記差替送出工程で送出された前記差替ＣＭ素材の映像信号が入力され、前記差替送出工程による入力がある時は前記差替送出工程により入力された映像信号を出力し、前記差替送出工程による入力がない時は前記ＣＭバンクから入力された映像信号を出力するスイッチング工程と、
を実行する差替方法。
【請求項７】
コンピュータを、
制御装置が送信したスタンバイ指示を受信し、スタンバイ指示に含まれるＣＭ素材識別情報で特定されるＣＭ素材の放送の可否を判定する判定手段、
前記判定手段が放送不可と判定すると、差替ＣＭ素材を送出するスタンバイを行い、前記制御装置が送信した送出指示を受信すると、スタンバイしている前記差替ＣＭ素材の映像信号を送出する差替送出手段、
前記判定手段による判定結果に関わらず前記制御装置により送信された前記送出指示に応じてＣＭバンクが送出したＣＭ素材の映像信号、及び、前記判定手段による判定結果が放送不可である場合に前記制御装置により送信された前記送出指示に応じて前記差替送出手段が送出した前記差替ＣＭ素材の映像信号が入力され、前記差替送出手段からの入力がある時は前記差替送出手段から入力された映像信号を出力し、前記差替送出手段からの入力がない時は前記ＣＭバンクから入力された映像信号を出力するスイッチング手段、
として機能させるためのプログラム。
【発明の詳細な説明】
【技術分野】
【０００１】
本発明は、送出システム、差替装置、差替方法、及び、プログラムに関する。
【背景技術】
【０００２】
特許文献１に、関連する技術が開示されている。特許文献１には、ＣＭ枠及びそれに付属するＣＭ素材によって構成される送出ＣＭデータを変更する自動番組制御装置の送出ＣＭデータ自動再配置システムが開示されている。
【先行技術文献】
【特許文献】
【０００３】
【特許文献１】特開平１１−２０５２５９号
【発明の概要】
【発明が解決しようとする課題】
【０００４】
ＣＭ素材各々には、放送されるのが好ましくないタイミングが存在し得る。例えば、大人向けの商品のＣＭ素材を子供の視聴率が高い時間帯に放送するのは、子供への影響やＣＭ効果等を考慮すると好ましくない場合がある。
【０００５】
通常、ＣＭ素材毎の放送条件（放送が禁止される条件や放送が許可される条件等）を考慮して、ＣＭ進行データ（スケジュール）が作成される。そして、ＣＭ進行データに従いＣＭ素材が放送される。ＣＭ進行データでは、複数のＣＭ枠各々に、放送されるＣＭ素材が対応付けられている。
【０００６】
しかし、緊急特番（例：緊急ニュース）の挿入等に起因して、放送日当日の放送間際に、ＣＭの放送スケジュールが変更される場合がある。そして、ＣＭ進行データで定められたタイミングよりも早いタイミング、また遅いタイミングで、ＣＭ素材が放送されることがある。このような場合、放送の現場でＣＭ素材毎の放送条件を一つ一つ考慮し、放送条件を満たすように各ＣＭ素材の変更後の放送タイミングを決定するのは難しい。このため、放送されるのが好ましくないタイミングでＣＭ素材が放送されるという不都合が発生し得る。特許文献１に記載の技術の場合、このような不都合を解消できない。
【０００７】
本発明は、好ましくないタイミングでＣＭ素材が放送される不都合を軽減するための新たな技術を提供することを課題とする。
【課題を解決するための手段】
【０００８】
本発明によれば、
制御装置と、ＣＭバンクと、差替装置とを有し、
前記制御装置は、前記ＣＭバンク及び前記差替装置に、ＣＭ素材識別情報を含むスタンバイ指示、及び、送出指示を送信し、
前記ＣＭバンクは、前記スタンバイ指示を受信すると、前記ＣＭ素材識別情報で特定されるＣＭ素材を送出するスタンバイを行い、前記送出指示を受信すると、スタンバイしている前記ＣＭ素材の映像信号を送出し、
前記差替装置は、
前記スタンバイ指示を受信し、前記スタンバイ指示に含まれる前記ＣＭ素材識別情報で特定されるＣＭ素材の放送の可否を判定する判定手段と、
前記判定手段が放送不可と判定すると、差替ＣＭ素材を送出するスタンバイを行い、前記送出指示を受信すると、スタンバイしている前記差替ＣＭ素材の映像信号を送出する差替送出手段と、
前記判定手段による判定結果に関わらず前記送出指示に応じて前記ＣＭバンクが送出した前記ＣＭ素材の映像信号、及び、前記判定手段による判定結果が放送不可である場合に前記送出指示に応じて前記差替送出手段が送出した前記差替ＣＭ素材の映像信号が入力され、前記差替送出手段からの入力がある時は前記差替送出手段から入力された映像信号を出力し、前記差替送出手段からの入力がない時は前記ＣＭバンクから入力された映像信号を出力するスイッチング手段と、
を有する送出システムが提供される。
【０００９】
また、本発明によれば、
制御装置が送信したスタンバイ指示を受信し、スタンバイ指示に含まれるＣＭ素材識別情報で特定されるＣＭ素材の放送の可否を判定する判定手段と、
前記判定手段が放送不可と判定すると、差替ＣＭ素材を送出するスタンバイを行い、前記制御装置が送信した送出指示を受信すると、スタンバイしている前記差替ＣＭ素材の映像信号を送出する差替送出手段と、
前記判定手段による判定結果に関わらず前記制御装置により送信された前記送出指示に応じてＣＭバンクが送出したＣＭ素材の映像信号、及び、前記判定手段による判定結果が放送不可である場合に前記制御装置により送信された前記送出指示に応じて前記差替送出手段が送出した前記差替ＣＭ素材の映像信号が入力され、前記差替送出手段からの入力がある時は前記差替送出手段から入力された映像信号を出力し、前記差替送出手段からの入力がない時は前記ＣＭバンクから入力された映像信号を出力するスイッチング手段と、
を有する差替装置が提供される。
【００１０】
また、本発明によれば、
コンピュータが、
制御装置が送信したスタンバイ指示を受信し、スタンバイ指示に含まれるＣＭ素材識別情報で特定されるＣＭ素材の放送の可否を判定する判定工程と、
前記判定工程で放送不可と判定されると、差替ＣＭ素材を送出するスタンバイを行い、前記制御装置が送信した送出指示を受信すると、スタンバイしている前記差替ＣＭ素材の映像信号を送出する差替送出工程と、
前記判定工程での判定結果に関わらず前記制御装置により送信された前記送出指示に応じてＣＭバンクが送出したＣＭ素材の映像信号、及び、前記判定工程での判定結果が放送不可である場合に前記制御装置により送信された前記送出指示に応じて前記差替送出工程で送出された前記差替ＣＭ素材の映像信号が入力され、前記差替送出工程による入力がある時は前記差替送出工程により入力された映像信号を出力し、前記差替送出工程による入力がない時は前記ＣＭバンクから入力された映像信号を出力するスイッチング工程と、
を実行する差替方法が提供される。
【００１１】
また、本発明によれば、
コンピュータを、
制御装置が送信したスタンバイ指示を受信し、スタンバイ指示に含まれるＣＭ素材識別情報で特定されるＣＭ素材の放送の可否を判定する判定手段、
前記判定手段が放送不可と判定すると、差替ＣＭ素材を送出するスタンバイを行い、前記制御装置が送信した送出指示を受信すると、スタンバイしている前記差替ＣＭ素材の映像信号を送出する差替送出手段、
前記判定手段による判定結果に関わらず前記制御装置により送信された前記送出指示に応じてＣＭバンクが送出したＣＭ素材の映像信号、及び、前記判定手段による判定結果が放送不可である場合に前記制御装置により送信された前記送出指示に応じて前記差替送出手段が送出した前記差替ＣＭ素材の映像信号が入力され、前記差替送出手段からの入力がある時は前記差替送出手段から入力された映像信号を出力し、前記差替送出手段からの入力がない時は前記ＣＭバンクから入力された映像信号を出力するスイッチング手段、
として機能させるためのプログラムが提供される。
【発明の効果】
【００１２】
本発明によれば、好ましくないタイミングでＣＭ素材が放送される不都合を軽減するための新たな技術が実現される。
【図面の簡単な説明】
【００１３】
【図１】本実施形態の装置のハードウエア構成の一例を概念的に示す図である。
【図２】放送局に備えられる一般的なシステムの機能ブロック図の一例である。
【図３】本実施形態の送出システムを適用したシステムの機能ブロック図の一例である。
【図４】本実施形態の送出システムの機能ブロック図の一例である。
【図５】本実施形態の差替装置の機能ブロック図の一例である。
【図６】本実施形態のＣＭ毎放送禁止条件情報の一例を模式的に示す図である。
【図７】本実施形態の放送禁止条件値情報の一例を模式的に示す図である。
【図８】本実施形態の放送禁止情報の一例を模式的に示す図である。
【図９】本実施形態のＣＭ毎放送許可条件情報の一例を模式的に示す図である。
【図１０】本実施形態の放送許可条件値情報の一例を模式的に示す図である。
【図１１】本実施形態の放送許可条件情報の一例を模式的に示す図である。
【図１２】本実施形態の送出システムの処理の流れの一例を示すフロー図である。
【図１３】本実施形態のＣＭバンクに蓄積される情報の一例を模式的に示す図である。
【図１４】本実施形態の差替送出部に蓄積される情報の一例を模式的に示す図である。
【発明を実施するための形態】
【００１４】
まず、本実施形態の装置のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インタフェイスを中心にハードウエアとソフトウエアの任意の組合せによって実現される。そして、その実現方法、装置にはいろいろな変形例があることは、当業者には理解されるところである。
【００１５】
図１は、本実施形態の装置（ＣＭバンク、制御装置、差替装置等）のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、通信部８Ａ、補助記憶装置９Ａ等を有する。なお、本実施形態の装置は、さらに、表示制御部４Ａ、ディスプレイ５Ａ、操作受付部６Ａ、操作部７Ａ等を有してもよい。また、図示しないが、本実施形態の装置は、その他、マイク、スピーカ等の他の要素を備えてもよい。
【００１６】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００１７】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。また、通信部８Ａは、有線及び／または無線で他の電子機器と直接つながり、通信を行うことができる。
【００１８】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００１９】
最初に、放送局に備えられる一般的なシステムの概要を説明する。そして、一般的なシステムとの相違点を明確にしながら、本実施形態の送出システムを説明する。
【００２０】
図２は、放送局に備えられる一般的なシステムの機能ブロック図の一例である。営放システムでは、放送進行データが作成される。例えば、ＣＭの放送スケジュールを示すＣＭ進行データが作成される。
【００２１】
ＤＳ（データサーバ）は、営放システムから放送進行データを取得する。そして、ＤＳは、オペレータによる放送進行データの確認や修正等の操作を受付ける。また、ＤＳは、オペレータから放送の進行に関する入力、例えば、生放送時にはＣＭに移るタイミングや本編に戻るタイミング等を指定する入力を受付ける。
【００２２】
制御装置は、ＤＳから取得した放送進行データや放送の進行に関する入力等に基づき、傘下の複数の機器（ＣＭバンク、番組バンク等）を制御する。例えば、制御装置は、ＤＳから取得した放送進行データや放送の進行に関する入力等に基づき、所定のＣＭ素材を所定のタイミングで送出する指示をＣＭバンクに送信する。
【００２３】
例えば、制御装置は、ＣＭ素材が送出されるタイミング（送出タイミング）よりも前（例：数秒前、１〜２分前）に、そのＣＭ素材の識別情報（例：コード、アドレス情報等）を含むスタンバイ指示をＣＭバンクに送信する。そして、制御装置は、スタンバイ指示送信後の所定のタイミングで、事前にスタンバイさせたＣＭ素材を送出する指示（送出指示）をＣＭバンクに送信する。
【００２４】
ＣＭバンクは、複数のＣＭ素材の動画データを記憶している。そして、ＣＭバンクは、制御システムからの指示に従い、所定のタイミングで所定のＣＭ素材の映像信号を送出する。
【００２５】
例えば、ＣＭバンクは、制御装置からスタンバイ指示を受信すると、受信したスタンバイ指示に含まれるＣＭ素材の識別情報（ＣＭ素材識別情報）を蓄積していく。そして、ＣＭバンクは、先入れ先出し方式で、蓄積されたＣＭ素材識別情報の中から１つを取り出し、取り出したＣＭ素材識別情報で特定されるＣＭ素材をスタンバイする。
【００２６】
ＣＭバンクは、制御装置から送出指示を受信すると、スタンバイしているＣＭ素材の映像信号を出力する。そして、蓄積されたＣＭ素材識別情報の中から１つを新たに取り出し、取り出したＣＭ素材識別情報で特定されるＣＭ素材を新たにスタンバイする。ＣＭバンクから送出された映像信号は、マスタースイッチャーに入力される。
【００２７】
スタンバイは、その後の送出指示を受信すると、少ないタイムラグで映像信号の送出を開始できるようにすることであり、例えば、対象ファイルを処理速度が比較的速い記憶装置に移す処理等が該当する。
【００２８】
ＣＭバンク内に設けられたＡＮＣ  ＩＮＣ（アンシラリ  インサータ）は、映像信号の付属情報領域（いわゆる、アンシラリ領域）に所定の付属情報を挿入する。なお、図示しないが、ＣＭバンク内と異なる部分に他のＡＮＣ  ＩＮＣが設けられ、本編の映像信号やＣＭ素材の映像信号の付属情報領域に所定の付属情報を挿入してもよい。
【００２９】
番組バンクは、複数の本編（番組）の動画データを記憶している。そして、制御システムからの指示に従い、所定のタイミングで所定の本編の映像信号を送出する。
【００３０】
マスタースイッチャーには、ＣＭ素材の映像信号、本編の映像信号、系列ネットからの映像信号等、複数の映像信号が入力される。マスタースイッチャーは、そこから出力される映像信号を切り替える。
【００３１】
ＥＮＣは、エンコーダである。ＳＩ（サービスインフォメーション）送出は、番組表等、所定の情報を送出する。データ放送は、データ放送の情報を送出する。ＭＵＸ（マルチプレクサ）は、入力された複数の信号を多重化する。ＭＵＸで多重化された信号は、その後、所定の処理が施された後、送信所へ送信される。送信所は、受信した信号を放送波（電波）として送信する。
【００３２】
営放システム、ＤＳ及び制御システムは、例えば、情報系回線で互いに通信可能になっている。制御システムと、その傘下の装置（ＣＭバンク、番組バンク等）は、制御系回線で互いに通信可能になっている。なお、通信規格は設計的事項である。
【００３３】
図３は、本実施形態の送出システムを適用したシステム例を示す機能ブロック図である。図２と比較すると、差替装置３０を含むか否かにおいて相違することが分かる。本実施形態の送出システム１は、ＣＭバンク１０と、制御装置２０と、差替装置３０とにより実現される特徴的な処理により、一般的なシステムでは実現できない優れた作用効果を実現する。
【００３４】
以下、本実施形態のＣＭバンク１０、制御装置２０及び差替装置３０の構成について説明する。なお、図３に示す営放システム、ＤＳ、番組バンク、マスタースイッチャー、ＥＮＣ、ＳＩ送出、データ放送、ＭＵＸ、情報系回線及び制御系回線については、図２を用いて説明した一般的なシステムと同様であるので、ここでの説明は省略する。
【００３５】
図４に、本実施形態の送出システム１の機能ブロック図の一例を示す。図示するように、送出システム１は、ＣＭバンク１０と、制御装置２０と、差替装置３０とを有する。
【００３６】
制御装置２０は、放送予定のＣＭ素材のＣＭ素材識別情報を含むスタンバイ指示を送信する。また、制御装置２０は、スタンバイしているＣＭ素材を送出させるための送出指示を送信する。例えば、制御装置２０は、ＤＳから取得した放送進行データや放送の進行に関する入力等に基づき、スタンバイ指示及び送出指示を送信する。
【００３７】
制御装置２０は、スタンバイ指示及び送出指示を、ＣＭバンク１０及び差替装置３０の両方に送信する。制御装置２０は、同じタイミングで、同じスタンバイ指示及び送出指示をＣＭバンク１０及び差替装置３０の両方に送信する。ここでの同じタイミングは、ＣＭバンク１０及び差替装置３０に送信するタイミングが完全に一致、及び、その差が小さい所定時間以内（例：０．０３秒以内）の両方を含む概念である。制御装置２０は、このように、ＣＭバンク１０及び差替装置３０の両方にスタンバイ指示及び送出指示を送信する点で、一般的なシステムの制御装置と異なる。その他の構成は、一般的なシステムの制御装置と同様である。
【００３８】
ＣＭバンク１０は、複数のＣＭ素材の動画データを記憶している。ＣＭバンク１０は、制御装置２０からスタンバイ指示を受信すると、当該スタンバイ指示に含まれるＣＭ素材識別情報で特定されるＣＭ素材の映像信号を送出するスタンバイを行う。そして、ＣＭバンク１０は、制御装置２０から送出指示を受信すると、スタンバイしているＣＭ素材の映像信号を送出する。
【００３９】
例えば、ＣＭバンク１０は、制御装置２０からスタンバイ指示を受信すると、受信したスタンバイ指示に含まれるＣＭ素材識別情報を、図１３に示すように蓄積していく。そして、ＣＭバンク１０は、先入れ先出し方式で、蓄積されたＣＭ素材識別情報（図１３参照）の中から１つを取り出し、取り出したＣＭ素材識別情報で特定されるＣＭ素材をスタンバイする。
【００４０】
ＣＭバンク１０は、制御装置２０から送出指示を受信すると、スタンバイしているＣＭ素材の映像信号を出力する。そして、蓄積されたＣＭ素材識別情報（図１３参照）の中から１つを新たに取り出し、取り出したＣＭ素材識別情報で特定されるＣＭ素材を新たにスタンバイする。
【００４１】
なお、ＣＭバンク１０から送出されたＣＭ素材の映像信号は、差替装置３０、具体的には差替装置３０のスイッチング部３３に入力される。ＣＭバンク１０は、当該点で、一般的なシステムのＣＭバンクと異なる。その他の構成は、一般的なシステムのＣＭバンクと同様である。
【００４２】
次に、差替装置３０の構成について説明する。図５に、本実施形態の差替装置３０の機能ブロック図の一例を示す。図示するように、差替装置３０は、判定部３１と、差替送出部３２と、スイッチング部３３とを有する。
【００４３】
判定部３１は、制御装置２０からスタンバイ指示を受信する。そして、判定部３１は、受信したスタンバイ指示に含まれるＣＭ素材識別情報で特定されるＣＭ素材の放送の可否を判定する。
【００４４】
例えば、判定部３１は、ＣＭ素材各々の放送が禁止される放送禁止条件に基づき、ＣＭ素材識別情報で特定されるＣＭ素材の放送の可否を判定してもよい。その他、判定部３１は、ＣＭ素材各々の放送が許可される放送許可条件に基づき、ＣＭ素材識別情報で特定されるＣＭ素材の放送の可否を判定してもよい。以下、放送禁止条件に基づく判定、及び、放送許可条件に基づく判定を説明する。
【００４５】
「放送禁止条件に基づく判定」
判定部３１は、例えば、図６に示すようなＣＭ毎放送禁止条件情報を予め保持しておいてもよい。図６に示すＣＭ毎放送禁止条件情報では、ＣＭ素材識別情報（素材コード）各々に、各ＣＭ素材に適用される放送禁止条件の識別情報（放送禁止条件ＩＤ）が対応付けられている。１つのＣＭ素材に１つの放送禁止条件を対応付けてもよいし、複数の放送禁止条件を対応付けてもよい。また、放送禁止条件を対応付けられないＣＭ素材が存在してもよい。
【００４６】
さらに、判定部３１は、図７に示すような放送禁止条件値情報を保持しておいてもよい。放送禁止条件値情報では、放送禁止条件ＩＤ各々に、「放送可」または「放送不可」に対応する値が対応付けられる。図では、「放送可」に対応する値として「可」が記載され、「放送不可」に対応する値として「不可」が記載されているが、これに限定されない。例えば、いずれか一方のみにフラグをたててもよい。
【００４７】
放送禁止条件値情報で示される放送禁止条件各々の値は、図８に示すような放送禁止条件情報に従い決定され、更新部（不図示）により更新される。
【００４８】
放送禁止条件ＩＤ「禁００１」の放送禁止条件では、６時から１８時の間は放送が禁止されることが示されている。このような放送禁止条件に従えば、図７に示す放送禁止条件値情報における放送禁止条件ＩＤ「禁００１」に対応付けられる値は、６時から１８時の間は「不可」となり、その他の時間帯は「可」となる。
【００４９】
放送禁止条件ＩＤ「禁００２」の放送禁止条件では、９時から１２時の間は放送が禁止されることが示されている。このような放送禁止条件に従えば、図７に示す放送禁止条件値情報における放送禁止条件ＩＤ「禁００２」に対応付けられる値は、９時から１２時の間は「不可」となり、その他の時間帯は「可」となる。
【００５０】
放送禁止条件ＩＤ「禁００３」の放送禁止条件では、天気が雨の場合、放送が禁止されることが示されている。このような放送禁止条件に従えば、図７に示す放送禁止条件値情報における放送禁止条件ＩＤ「禁００３」に対応付けられる値は、天気が雨の場合、「不可」となり、その他の場合は「可」となる。
【００５１】
放送禁止条件ＩＤ「禁００４」の放送禁止条件では、Ａチームの勝敗が負けの場合、放送が禁止されることが示されている。このような放送禁止条件に従えば、図７に示す放送禁止条件値情報における放送禁止条件ＩＤ「禁００４」に対応付けられる値は、Ａチームの勝敗が負けの場合、「不可」となり、その他の場合は「可」となる。
【００５２】
例えば、オペレータが、所定のタイミング（例：１日１回所定の時刻、１日複数回所定の時刻）で、放送禁止条件情報（図８参照）、及び、各放送禁止条件を判定するための最新の情報（例：現在時刻、天気、Ａチームの勝敗等）に基づき、放送禁止条件各々の最新の値（放送可、又は、放送不可）を決定し、放送禁止条件ごとに決定した値を更新部に入力してもよい。そして、更新部は、入力された値に従い、放送禁止条件値情報（図７参照）を更新してもよい。
【００５３】
その他、更新部が、所定のタイミング（例：１日１回所定の時刻、１日複数回所定の時刻）で、放送禁止条件各々の最新の値（放送可、又は、放送不可）を決定し、決定した値に従い、放送禁止条件値情報（図７参照）を更新してもよい。
【００５４】
当該例の場合、更新部は、所定のタイミング（例：１日１回所定の時刻、１日複数回所定の時刻）で、放送禁止条件各々の値（放送可、又は、放送不可）を判定するための最新の情報を取得する。
【００５５】
放送禁止条件各々の値を判定するための情報は、放送禁止条件の内容に応じて異なる。図８の放送禁止条件ＩＤ「禁００１」及び「禁００２」の放送禁止条件の場合、例えば現在時刻が、判定するための情報となる。図８の放送禁止条件ＩＤ「禁００３」の放送禁止条件の場合、例えば現在の天気の内容や当日の最新の天気予報の内容等が、判定するための情報となる。図８の放送禁止条件ＩＤ「禁００４」の放送禁止条件の場合、例えばＡチームの前日の試合結果や、当日の試合結果等が、判定するための情報となる。
【００５６】
更新部は、例えばこれらの情報を提供するサーバからこれらの情報を取得してもよい。その他、オペレータがこれらの情報を更新部に入力してもよい。
【００５７】
更新部は、判定するための情報を取得すると、当該情報と、放送禁止条件情報（図８参照）とに基づき、放送禁止条件各々の値（放送可、又は、放送不可）を決定する。そして、更新部は、決定した値に従い、放送禁止条件値情報（図７参照）を更新する。なお、更新部は、本実施形態の差替装置３０に備えられてもよいし、差替装置３０と通信可能に構成された他の装置に備えられてもよい。
【００５８】
判定部３１は、例えば、図６に示すＣＭ毎放送禁止条件情報、及び、図７に示す放送禁止条件値情報に基づき、ＣＭ素材識別情報で特定されるＣＭ素材のそのタイミングでの放送の可否を判定する。
【００５９】
例えば、判定部３１は、取得したスタンバイ指示に含まれるＣＭ素材識別情報を取得すると、図６に示すＣＭ毎放送禁止条件情報を参照し、放送禁止条件が対応付けられているか否かを判定する。
【００６０】
対応付けられていない場合、判定部３１は、当該ＣＭ素材識別情報で特定されるＣＭ素材は放送可と判定する。一方、対応付けられている場合、判定部３１は、図７に示す放送禁止条件値情報を参照し、対応付けられている放送禁止条件の値を取得する。
【００６１】
値が放送可に対応するものである場合、判定部３１は、当該ＣＭ素材識別情報で特定されるＣＭ素材は放送可と判定する。一方、値が放送不可に対応するものである場合、判定部３１は、当該ＣＭ素材識別情報で特定されるＣＭ素材は放送不可と判定する。放送不可と判定した場合、判定部３１は、ＣＭ素材識別情報で特定されるＣＭ素材に代えて、予め定められた所定のＣＭ素材を放送するＣＭ素材（差替ＣＭ素材）として決定する。
【００６２】
具体例を用いて説明する。例えば、スタンバイ指示に含まれるＣＭ素材識別情報（素材コード）が「１２３４−５６７８９０」であったとする。図６に示すＣＭ毎放送禁止条件情報を参照すると、放送禁止条件ＩＤ「禁００１」が対応付けられている。このため、判定部３１は、図７に示す放送禁止条件値情報を参照し、放送禁止条件ＩＤ「禁００１」に対応付けられている放送禁止条件の値を取得する。図７では、放送禁止条件ＩＤ「禁００１」に「放送可」に対応する値が対応付けられている。このため、判定部３１は、ＣＭ素材識別情報（素材コード）「１２３４−５６７８９０」で特定されるＣＭ素材は、当該タイミングで放送可と判定する。
【００６３】
他の例として、スタンバイ指示に含まれるＣＭ素材識別情報（素材コード）が「１２３４−５６７８９１」であったとする。図６に示すＣＭ毎放送禁止条件情報を参照すると、放送禁止条件ＩＤ「禁００２」及び「禁００３」が対応付けられている。このため、判定部３１は、図７に示す放送禁止条件値情報を参照し、放送禁止条件ＩＤ「禁００２」及び「禁００３」に対応付けられている放送禁止条件の値を取得する。
【００６４】
図７では、放送禁止条件ＩＤ「禁００２」に「放送可」に対応する値が対応付けられ、放送禁止条件ＩＤ「禁００３」に「放送不可」に対応する値が対応付けられている。このため、判定部３１は、ＣＭ素材識別情報（素材コード）「１２３４−５６７８９１」で特定されるＣＭ素材は、当該タイミングで放送不可と判定する。判定部３１は、対応付けられているすべての放送禁止条件で放送可と判定した場合、そのＣＭ素材は当該タイミングで放送可と判定する。
【００６５】
他の例として、スタンバイ指示に含まれるＣＭ素材識別情報（素材コード）が「１２３４−５６７８９２」であったとする。図６に示すＣＭ毎放送禁止条件情報を参照すると、放送禁止条件が対応付けられていない。このため、判定部３１は、ＣＭ素材識別情報（素材コード）「１２３４−５６７８９２」で特定されるＣＭ素材は、当該タイミングで放送可と判定する。
【００６６】
「放送許可条件に基づく判定」
判定部３１は、例えば、図９に示すようなＣＭ毎放送許可条件情報を予め保持しておいてもよい。図９に示すＣＭ毎放送許可条件情報では、素材グループと、放送許可条件ＩＤと、素材コードとが互いに対応付けられている。
【００６７】
素材グループの欄には、複数の素材グループを識別するための情報が記載される。各素材グループには、１つまたは複数の素材コード（ＣＭ素材識別情報）が対応付けられる。すなわち、各素材グループには、１つまたは複数のＣＭ素材が含まれる。
【００６８】
１つの素材グループに複数の素材コードが対応付けられる場合、複数の素材コード各々に、各ＣＭ素材の放送が許可される条件が対応付けられる。
【００６９】
図の例の場合、素材グループ「ＡＡＡＡ」に含まれる複数の素材コード各々に、条件値（ケースＡ乃至Ｃ）が対応付けられている。ケースＡに該当する場合、素材コード「１２３４−５６７８９０」のＣＭ素材の放送が許可され、ケースＢに該当する場合、素材コード「１２３４−５６７８９１」のＣＭ素材の放送が許可され、ケースＣに該当する場合、素材コード「１２３４−５６７８９２」のＣＭ素材の放送が許可されることを意味する。
【００７０】
また、図の例の場合、複数の素材コードが対応付けられた素材グループに、いずれの条件値に該当するか決定する放送許可条件の識別情報（放送許可条件ＩＤ）が対応付けられている。
【００７１】
図９の例の場合、素材グループ「ＡＡＡＡ」においては、放送許可条件ＩＤ「ＸＸ」の放送許可条件に基づいて、いずれの条件値（ケースＡ乃至Ｃ）に該当するかが決定される。素材グループ「ＢＢＢＢ」においては、放送許可条件ＩＤ「ＹＹ」の放送許可条件に基づいて、いずれの条件値（ケースＡ乃至Ｄ）に該当するかが決定される。
【００７２】
例えば、判定部３１は、図１０に示すような放送許可条件値情報を保持しておいてもよい。放送許可条件値情報では、放送許可条件ＩＤ各々に、条件値が対応付けられる。図では、ケースＡ乃至Ｄ各々に対応する値としてＡ乃至Ｄが記載されているが、これに限定されない。
【００７３】
放送許可条件値情報で示される放送許可条件各々の値は、図１１に示すような放送許可条件情報に従い決定され、更新部（不図示）により更新される。
【００７４】
図１１に示す放送許可条件情報では、放送許可条件ＩＤと、名称と、各条件値（ケースＡ乃至Ｄ等）に対応する値とが互いに対応付けられている。名称は、放送許可条件各々を人が容易に把握できるようにするためのものである。
【００７５】
例えば、放送許可条件ＩＤ「ＸＸ」は、天気に基づいて条件値が決定される。晴れの場合、条件値「ケースＡ」が決定され、雨の場合、条件値「ケースＢ」が決定され、その他の場合、条件値「ケースＣ」が決定される。
【００７６】
放送許可条件ＩＤ「ＹＹ」は、Ａチームの勝敗に基づいて条件値が決定される。勝ちの場合、条件値「ケースＡ」が決定され、負けの場合、条件値「ケースＢ」が決定され、引き分けの場合、条件値「ケースＣ」が決定され、試合なしの場合、条件値「ケースＤ」が決定される。
【００７７】
例えば、オペレータが、所定のタイミング（例：１日１回所定の時刻、１日複数回所定の時刻）で放送許可条件情報（図１１参照）に基づき、放送許可条件各々の最新の条件値を決定し、放送許可条件ごとに決定した条件値を更新部に入力してもよい。そして、更新部は、入力された条件値に従い、放送許可条件値情報（図１０参照）を更新してもよい。
【００７８】
その他、更新部が、所定のタイミング（例：１日１回所定の時刻、１日複数回所定の時刻）で放送許可条件各々の最新の条件値を決定し、決定した条件値に従い、放送許可条件値情報（図１０参照）を更新してもよい。
【００７９】
当該例の場合、更新部は、所定のタイミング（例：１日１回所定の時刻、１日複数回所定の時刻）で、放送許可条件各々の条件値を判定するための最新の情報を取得する。
【００８０】
放送許可条件各々の条件値を判定するための情報は、放送許可条件の内容に応じて異なる。図１１の放送許可条件ＩＤ「ＸＸ」の放送許可条件の場合、例えば現在の天気の内容や当日の最新の天気予報の内容等が、判定するための情報となる。図１１の放送許可条件ＩＤ「ＹＹ」の放送許可条件の場合、例えばＡチームの前日の試合結果や、当日の試合結果等が、判定するための情報となる。
【００８１】
更新部は、例えばこれらの情報を提供するサーバからこれらの情報を取得してもよい。その他、オペレータがこれらの情報を更新部に入力してもよい。
【００８２】
更新部は、判定するための情報を取得すると、当該情報と、放送許可条件情報（図１１参照）とに基づき、放送許可条件各々の条件値を決定する。そして、更新部は、決定した条件値に従い、放送許可条件値情報（図１０参照）を更新する。
【００８３】
判定部３１は、例えば、図９に示すＣＭ毎放送許可条件情報、及び、図１０に示す放送許可条件値情報に基づき、ＣＭ素材識別情報で特定されるＣＭ素材のそのタイミングでの放送の可否を判定する。
【００８４】
例えば、判定部３１は、取得したスタンバイ指示に含まれるＣＭ素材識別情報を取得すると、図９に示すＣＭ毎放送許可条件情報を参照し、放送許可条件が対応付けられているか否か判定する。
【００８５】
対応付けられていない場合、判定部３１は、当該ＣＭ素材識別情報で特定されるＣＭ素材は放送可と判定する。一方、対応付けられている場合、判定部３１は、図１０に示す放送許可条件値情報を参照し、対応付けられている放送許可条件の条件値を取得する。
【００８６】
条件値が当該ＣＭ素材に対応するものである場合、判定部３１は、当該ＣＭ素材識別情報で特定されるＣＭ素材は放送可と判定する。一方、条件値が当該ＣＭ素材に対応するものでない場合、判定部３１は、当該ＣＭ素材識別情報で特定されるＣＭ素材は放送不可と判定する。そして、判定部３１は、当該ＣＭ素材識別情報で特定されるＣＭ素材に代えて、当該ＣＭ素材が属する素材グループの中の、放送許可条件値情報から取得した条件値に対応するＣＭ素材を、放送するＣＭ素材（差替ＣＭ素材）として決定する。
【００８７】
例えば、取得したスタンバイ指示に含まれるＣＭ素材識別情報（素材コード）が「１２３４−５６７８９１」であったとする。図９に示すＣＭ毎放送許可条件情報を参照すると、当該ＣＭ素材には放送条件ＩＤ「ＸＸ」が対応付けられている。このため、判定部３１は、図１０に示す放送許可条件値情報を参照し、対応付けられている放送許可条件の条件値、すなわち「ケースＡ」を取得する。
【００８８】
取得した条件値「ケースＡ」は、ＣＭ素材識別情報（素材コード）「１２３４−５６７８９１」に対応する値「ケースＢ」と異なる。このため、判定部３１は、当該ＣＭ素材識別情報で特定されるＣＭ素材の当該タイミングでの放送は不可と判定する。そして、判定部３１は、当該ＣＭ素材の属する素材グループ「ＡＡＡＡ」に属し、条件値「ケースＡ」に対応するＣＭ素材識別情報（素材コード）「１２３４−５６７８９０」のＣＭ素材を、代わりに放送するＣＭ素材（差替ＣＭ素材）として決定する。
【００８９】
他の例として、取得したスタンバイ指示に含まれるＣＭ素材識別情報（素材コード）が「１２３４−５６７８９９」であったとする。図９に示すＣＭ毎放送許可条件情報を参照すると、ＣＭ素材識別情報で特定されるＣＭ素材には放送許可条件が対応付けられていない。このため、判定部３１は、ＣＭ素材識別情報で特定されるＣＭ素材の当該タイミングでの放送は可と判定する。
【００９０】
なお、判定部３１は、放送禁止条件と放送許可条件とを用いて、ＣＭ素材の放送の可否を判定することもできる。この場合、判定部３１は、放送許可条件に基づき放送可と判定され、かつ、放送禁止条件に基づき放送可と判定された場合、ＣＭ素材識別情報で特定されるＣＭ素材を放送可と判定してもよい。そして、放送許可条件及び放送禁止条件の少なくとも一方に基づき放送不可と判定された場合、ＣＭ素材識別情報で特定されるＣＭ素材を放送不可と判定してもよい。
【００９１】
当該例の場合、判定部３１は、放送許可条件に基づき代わりに放送すると決定されたＣＭ素材に対しても、放送禁止条件に基づいた判定を行ってもよい。そして、当該判定において放送不可と判定された場合、そのＣＭ素材を差替ＣＭ素材とし、放送不可と判定された場合、予め定められた所定のＣＭ素材を差替ＣＭ素材として決定してもよい。
【００９２】
図５に戻り、差替送出部３２は、差替ＣＭ素材となり得る複数のＣＭ素材の動画データを記憶している。上述の通り、判定部３１が、所定のルールに従い、差替ＣＭ素材を決定する。差替ＣＭ素材となり得るＣＭ素材は、判定部３１が差替ＣＭ素材として決定する可能性があるＣＭ素材である。
【００９３】
差替送出部３２は、判定部３１が放送不可と判定すると、差替ＣＭ素材を送出するスタンバイを行う。そして、制御装置２０から送出指示を受信すると、差替送出部３２は、スタンバイしている差替ＣＭ素材の映像信号を送出する。差替送出部３２から送出された差替ＣＭ素材の映像信号は、スイッチング部３３に入力される。
【００９４】
なお、判定部３１が放送可と判定すると、差替送出部３２は差替ＣＭ素材を送出するスタンバイを行わない。このため、制御装置２０から送出指示を受信しても、差替ＣＭ素材の映像信号を送出しない。
【００９５】
例えば、判定部３１による判定結果が、図１４に示すように蓄積されてもよい。判定部３１は、放送不可と判定した場合、判定結果として、決定した差替ＣＭ素材のＣＭ素材識別情報を出力する。また、判定部３１は、放送可と判定した場合、判定結果として、その旨を示す情報を出力する。
【００９６】
図１４の例では、判定部３１が出力した判定結果が、素材コードの欄に蓄積されている。なお、放送可を示す情報が判定結果として出力された場合、例えば、対応する欄は空欄となってもよい。
【００９７】
差替送出部３２は、例えば、このように蓄積された判定結果（図１４参照）の中から、先入れ先出し方式で１つを取り出し、取り出したＣＭ素材識別情報で特定される差替ＣＭ素材をスタンバイする。なお、ＣＭ素材識別情報を取り出せなかった場合（ＣＭ素材識別情報が記憶されていない。図１４の例の場合、空欄。）、差替送出部３２は、差替ＣＭ素材のスタンバイを行わない。
【００９８】
そして、差替送出部３２は、制御装置２０から送出指示を受信すると、スタンバイしている差替ＣＭ素材の映像信号を出力する。差替送出部３２から送出された差替ＣＭ素材の映像信号は、スイッチング部３３に入力される。なお、スタンバイしている差替ＣＭ素材がない場合、差替送出部３２は、送出指示を受信しても、映像信号を出力しない。
【００９９】
差替送出部３２は、制御装置２０から送出指示を受信すると、蓄積された判定結果（図１４参照）の中から１つを新たに取り出し、取り出したＣＭ素材識別情報で特定される差替ＣＭ素材を新たにスタンバイする。なお、ＣＭ素材識別情報を取り出せなかった場合（ＣＭ素材識別情報が記憶されていない。図１４の例の場合、空欄。）、差替送出部３２は、差替ＣＭ素材のスタンバイを行わない。
【０１００】
スイッチング部３３には、制御装置２０からの送出指示に応じてＣＭバンク１０が送出したＣＭ素材の映像信号が入力される。また、スイッチング部３３には、制御装置２０からの送出指示に応じて差替送出部３２が送出した差替ＣＭ素材の映像信号が入力される。
【０１０１】
スイッチング部３３は、差替送出部３２からの映像信号の入力がある時は、差替送出部３２から入力された映像信号を出力する。そして、スイッチング部３３は、差替送出部３２からの映像信号の入力がない時は、ＣＭバンク１０から入力された映像信号を出力する。このようなスイッチングは、従来技術に準じて実現できる。
【０１０２】
スイッチング部３３から出力された映像信号は、例えば、マスタースイッチャーに入力される（図３参照）。
【０１０３】
次に、図１２のフロー図を用いて、本実施形態の送出システム１の処理の流れの一例を説明する。
【０１０４】
制御装置２０は、ＤＳから取得した放送進行データや放送の進行に関する入力等に基づき、所定のタイミングで、所定のＣＭ素材識別情報を含むスタンバイ指示を、ＣＭバンク１０及び判定部３１の両方に送信する。
【０１０５】
ＣＭバンク１０は、制御装置２０からスタンバイ指示を受信すると、受信したスタンバイ指示に含まれるＣＭ素材識別情報を、図１３に示すように蓄積していく。そして、ＣＭバンク１０は、先入れ先出し方式で、蓄積されたＣＭ素材識別情報（図１３参照）の中から１つを取り出し、取り出したＣＭ素材識別情報で特定されるＣＭ素材をスタンバイする。
【０１０６】
一方、判定部３１は、制御装置２０からスタンバイ指示を受信すると、当該スタンバイ指示に含まれるＣＭ素材識別情報で特定されるＣＭ素材の放送の可否を判定する。放送不可と判定した場合、判定部３１は、差替ＣＭ素材を決定する。そして、判定部３１は、判定結果を差替送出部３２に送信する。
【０１０７】
差替送出部３２は、判定部３１から受信した判定結果を、図１４に示すように蓄積していく。そして、差替送出部３２は、先入れ先出し方式で、蓄積された判定結果（図１４参照）の中から１つを取り出し、取り出したＣＭ素材識別情報で特定される差替ＣＭ素材をスタンバイする。なお、ＣＭ素材識別情報を取り出せなかった場合（ＣＭ素材識別情報が記憶されていない。図１４の例の場合、空欄。）、差替送出部３２は、差替ＣＭ素材のスタンバイを行わない。
【０１０８】
制御装置２０は、スタンバイ指示を送信後の所定のタイミングで、送出指示を、ＣＭバンク１０及び差替送出部３２の両方に送信する。
【０１０９】
ＣＭバンク１０は、制御装置２０から受信した送出指示に従い、スタンバイしているＣＭ素材の映像信号を送出する。そして、ＣＭバンク１０は、蓄積されたＣＭ素材識別情報（図１３参照）の中から１つを新たに取り出し、取り出したＣＭ素材識別情報で特定されるＣＭ素材を新たにスタンバイする。ＣＭバンク１０から送出された映像信号は、スイッチング部３３に入力される。
【０１１０】
また、差替送出部３２は、制御装置２０から受信した送出指示に従い、スタンバイしている差替ＣＭ素材の映像信号を送出する。そして、差替送出部３２は、蓄積された判定結果（図１４参照）の中から１つを新たに取り出し、取り出したＣＭ素材識別情報で特定される差替ＣＭ素材を新たにスタンバイする。なお、ＣＭ素材識別情報を取り出せなかった場合（ＣＭ素材識別情報が記憶されていない。図１４の例の場合、空欄。）、差替送出部３２は、差替ＣＭ素材のスタンバイを行わない。
【０１１１】
差替送出部３２から送出された映像信号は、スイッチング部３３に入力される。なお、スタンバイしている差替ＣＭ素材がない場合、差替送出部３２は、制御装置２０から送出指示を受信しても、映像信号を送出しない。この場合、差替送出部３２からスイッチング部３３に映像信号が入力されない。
【０１１２】
スイッチング部３３は、差替送出部３２からの入力がある時は、差替送出部３２から入力された差替ＣＭ素材の映像信号を出力する。そして、スイッチング部３３は、差替送出部３２からの入力がない時は、ＣＭバンク１０から入力されたＣＭ素材の映像信号を出力する。
【０１１３】
以上説明した本実施形態によれば、制御装置２０からスタンバイ指示が送出された後、かつ、送出指示が送信される前に、スタンバイ指示で特定されるＣＭ素材各々の当該タイミングでの放送の可否を判定することができる。そして、放送可の場合は当該ＣＭ素材が放送され、放送不可の場合は他の差替ＣＭ素材を放送されるようにできる。このように、本実施形態によれば、より放送タイミングに近い水際でのチェックが実現される。結果、より効果的に、好ましくないタイミングでＣＭ素材が放送される不都合を軽減することができる。
【０１１４】
また、本実施形態では、ＣＭ素材各々の放送が禁止される放送禁止条件に基づき、ＣＭ素材の放送の可否を判定することができる。このような本実施形態によれば、放送が禁止される条件をＣＭ素材毎に定めておくことで、放送が禁止される条件下でＣＭ素材が放送される不都合を回避できる。
【０１１５】
また、本実施形態では、ＣＭ素材各々の放送が許可される放送許可条件に基づき、ＣＭ素材の放送の可否を判定することができる。このような本実施形態によれば、放送が許可される条件をＣＭ素材毎に定めておくことで、放送が禁止される条件下でのみＣＭ素材が放送されるようにできる。
【０１１６】
また、放送禁止条件と放送許可条件とを組み合わせることで、ＣＭ素材の放送制限のバリエーションが増し好ましい。
【０１１７】
以下、参考形態の例を付記する。
１．  制御装置と、ＣＭバンクと、差替装置とを有し、
前記制御装置は、前記ＣＭバンク及び前記差替装置に、ＣＭ素材識別情報を含むスタンバイ指示、及び、送出指示を送信し、
前記ＣＭバンクは、前記スタンバイ指示を受信すると、前記ＣＭ素材識別情報で特定されるＣＭ素材を送出するスタンバイを行い、前記送出指示を受信すると、スタンバイしている前記ＣＭ素材の映像信号を送出し、
前記差替装置は、
前記スタンバイ指示を受信し、前記スタンバイ指示に含まれる前記ＣＭ素材識別情報で特定されるＣＭ素材の放送の可否を判定する判定手段と、
前記判定手段が放送不可と判定すると、差替ＣＭ素材を送出するスタンバイを行い、前記送出指示を受信すると、スタンバイしている前記差替ＣＭ素材の映像信号を送出する差替送出手段と、
前記送出指示に応じて前記ＣＭバンクが送出した前記ＣＭ素材の映像信号、及び、前記送出指示に応じて前記差替送出手段が送出した前記差替ＣＭ素材の映像信号が入力され、前記差替送出手段からの入力がある時は前記差替送出手段から入力された映像信号を出力し、前記差替送出手段からの入力がない時は前記ＣＭバンクから入力された映像信号を出力するスイッチング手段と、
を有する送出システム。
２．  １に記載の送出システムにおいて、
前記差替送出手段は、前記判定手段が放送可と判定すると、前記差替ＣＭ素材を送出するスタンバイを行わない送出システム。
３．  １又は２に記載の送出システムにおいて、
前記判定手段は、前記ＣＭ素材各々の放送が禁止される放送禁止条件に基づき、前記ＣＭ素材の放送の可否を判定する送出システム。
４．  １から３のいずれかに記載の送出システムにおいて、
前記判定手段は、前記ＣＭ素材各々の放送が許可される放送許可条件に基づき、前記ＣＭ素材の放送の可否を判定する送出システム。
５．  制御装置が送信したスタンバイ指示を受信し、スタンバイ指示に含まれるＣＭ素材識別情報で特定されるＣＭ素材の放送の可否を判定する判定手段と、
前記判定手段が放送不可と判定すると、差替ＣＭ素材を送出するスタンバイを行い、前記制御装置が送信した送出指示を受信すると、スタンバイしている前記差替ＣＭ素材の映像信号を送出する差替送出手段と、
前記制御装置により送信された前記送出指示に応じてＣＭバンクが送出したＣＭ素材の映像信号、及び、前記制御装置により送信された前記送出指示に応じて前記差替送出手段が送出した前記差替ＣＭ素材の映像信号が入力され、前記差替送出手段からの入力がある時は前記差替送出手段から入力された映像信号を出力し、前記差替送出手段からの入力がない時は前記ＣＭバンクから入力された映像信号を出力するスイッチング手段と、
を有する差替装置。
６．  コンピュータが、
制御装置が送信したスタンバイ指示を受信し、スタンバイ指示に含まれるＣＭ素材識別情報で特定されるＣＭ素材の放送の可否を判定する判定工程と、
前記判定工程で放送不可と判定されると、差替ＣＭ素材を送出するスタンバイを行い、前記制御装置が送信した送出指示を受信すると、スタンバイしている前記差替ＣＭ素材の映像信号を送出する差替送出工程と、
前記制御装置により送信された前記送出指示に応じてＣＭバンクが送出したＣＭ素材の映像信号、及び、前記制御装置により送信された前記送出指示に応じて前記差替送出工程で送出された前記差替ＣＭ素材の映像信号が入力され、前記差替送出工程による入力がある時は前記差替送出工程により入力された映像信号を出力し、前記差替送出工程による入力がない時は前記ＣＭバンクから入力された映像信号を出力するスイッチング工程と、
を実行する差替方法。
７．  コンピュータを、
制御装置が送信したスタンバイ指示を受信し、スタンバイ指示に含まれるＣＭ素材識別情報で特定されるＣＭ素材の放送の可否を判定する判定手段、
前記判定手段が放送不可と判定すると、差替ＣＭ素材を送出するスタンバイを行い、前記制御装置が送信した送出指示を受信すると、スタンバイしている前記差替ＣＭ素材の映像信号を送出する差替送出手段、
前記制御装置により送信された前記送出指示に応じてＣＭバンクが送出したＣＭ素材の映像信号、及び、前記制御装置により送信された前記送出指示に応じて前記差替送出手段が送出した前記差替ＣＭ素材の映像信号が入力され、前記差替送出手段からの入力がある時は前記差替送出手段から入力された映像信号を出力し、前記差替送出手段からの入力がない時は前記ＣＭバンクから入力された映像信号を出力するスイッチング手段、
として機能させるためのプログラム。
【符号の説明】
【０１１８】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    通信部
９Ａ    補助記憶装置
１０Ａ  バス
１      送出システム
１０    ＣＭバンク
２０    制御装置
３０    差替装置
３１    判定部
３２    差替送出部
３３    スイッチング部
【図１】
0006524765.tif 000002
【図２】
0006524765.tif 000003
【図３】
0006524765.tif 000004
【図４】
0006524765.tif 000005
【図５】
0006524765.tif 000006
【図６】
0006524765.tif 000007
【図７】
0006524765.tif 000008
【図８】
0006524765.tif 000009
【図９】
0006524765.tif 000010
【図１０】
0006524765.tif 000011
【図１１】
0006524765.tif 000012
【図１２】
0006524765.tif 000013
【図１３】
0006524765.tif 000014
【図１４】
0006524765.tif 000015